(57)【要約】【課題】  液晶表示装置において、共通電極の電位が不安定になることに起因する画質の劣化を容易に低減する。【解決手段】  ＴＦＴ基板および対向基板を有する液晶表示パネルと、液晶表示パネルの外周部に設置される導電性のフレーム部材とを有し、ＴＦＴ基板は、表示領域の外周部に環状に配線され、かつ、共通電極に接続しているコモン給電線を有し、当該コモン給電線の信号入力端は、ＴＦＴ基板の第１の辺に沿って配置されている液晶表示装置であって、前記コモン給電線は、ＴＦＴ基板の前記第１の辺の反対側に位置する第２の辺の近傍に端子を有し、前記フレーム部材は、前記液晶表示パネルと対向する面に、絶縁層、第１の導電層、および第２の導電層が、この順番で積層されており、かつ、前記第２の導電層の上に、当該第２の導電層と前記コモン給電線の前記端子とを接続する柱状の導電部材を有する液晶表示装置。【選択図】        図３（ｃ）
2009031471.tif 000002
【特許請求の範囲】
【請求項１】
概略矩形の第１の基板と概略矩形の第２の基板との間に液晶材料が封入された液晶表示パネルと、前記液晶表示パネルの外周部に設置される導電性のフレーム部材とを有し、
前記液晶表示パネルは、ＴＦＴ素子および画素電極を有する複数個の画素の集合により設定される表示領域を有する液晶表示装置であって、
前記第１の基板は、前記表示領域を通る複数本の走査信号線と、前記表示領域を通り、かつ、前記複数本の走査信号線と立体的に交差する複数本の映像信号線と、前記表示領域の外周部に環状に配線され、かつ、前記第１の基板または前記第２の基板のいずれかに設けられた共通電極に接続しているコモン給電線とを有し、
前記複数本の映像信号線の信号入力端および前記コモン給電線の信号入力端は、前記第１の基板の第１の辺に沿って配置されており、
前記コモン給電線は、前記第１の基板の前記第１の辺の反対側に位置する第２の辺の近傍であり、かつ、前記第２の基板と平面でみて重ならない領域に、前記フレーム部材と対向する端子を有し、
前記フレーム部材は、前記液晶表示パネルと対向する面に、絶縁層、第１の導電層、および第２の導電層が、この順番で積層されており、かつ、前記第２の導電層の上に、当該第２の導電層と前記コモン給電線の前記端子とを接続する柱状の導電部材を有することを特徴とする液晶表示装置。
【請求項２】
前記第２の導電層は、導電性を有する粘着材または接着材であり、前記柱状の導電部材は、導電性を有する弾性体であることを特徴とする請求項１に記載の液晶表示装置。
【請求項３】
前記フレーム部材の前記絶縁層、前記第１の導電層、および前記第２の導電層は、平面でみた形状が概ね等しい帯状であることを特徴とする請求項１または請求項２に記載の液晶表示装置。
【請求項４】
前記フレーム部材の前記絶縁層および前記第１の導電層は、平面でみた形状が概ね等しい帯状であり、前記第２の導電層は、前記柱状の導電部材を設置する箇所およびその周辺部分のみに設けられていることを特徴とする請求項１または請求項２に記載の液晶表示装置。
【請求項５】
前記複数本の走査信号線の信号入力端は、前記第１の基板の前記第１の辺と前記第２の辺とに接する第３の辺、および当該第３の辺の反対側に位置する第４の辺に沿って配置されていることを特徴とする請求項１乃至請求項４のいずれか１項に記載の液晶表示装置。
【請求項６】
前記第２の基板は、前記第１の基板の前記第２の辺に対応する辺が、当該第１の基板の第２の辺と平面でみて重なるように配置されていることを特徴とする請求項１乃至請求項５のいずれか１項に記載の液晶表示装置。
【請求項７】
前記第２の基板は、前記第１の基板の前記第２の辺に対応する辺が、当該第１の基板の第２の辺と表示領域との間に位置していることを特徴とする請求項１乃至請求項５のいずれか１項に記載の液晶表示装置。
【発明の詳細な説明】
【技術分野】
【０００１】
本発明は、液晶表示装置に関し、特に、液晶テレビなどの大画面の液晶表示装置に適用して有効な技術に関するものである。
【背景技術】
【０００２】
従来、テレビやＰＣ向けのディスプレイなどの表示装置には、液晶表示パネルを用いた液晶表示装置がある。前記液晶表示パネルは、第１の基板と第２の基板との間に液晶材料を封入した表示パネルである。前記第１の基板は、たとえば、ガラス基板などの光透過率が高い絶縁基板の表面に、複数本の走査信号線、複数本の映像信号線、アクティブ素子（ＴＦＴ素子）、画素電極、および配向膜などを配置した基板であり、一般に、ＴＦＴ基板と呼ばれる。また、前記第２の基板は、たとえば、ガラス基板などの光透過率が高い絶縁基板の表面に、表示領域を画素ごとの領域に分割する遮光膜（一般に、ブラックマトリクスと呼ばれる。）、カラーフィルタ、および配向膜などを配置した基板であり、一般に、対向基板と呼ばれる。
【０００３】
なお、前記液晶表示パネルにおいて、前記画素電極と対になる共通電極（対向電極と呼ぶこともある。）は、前記対向基板側に設けられていることもあるし、前記ＴＦＴ基板側に設けられていることもある。
【０００４】
また、液晶テレビなどに用いられる液晶表示パネルにおいて、前記ＴＦＴ基板および前記対向基板は、たとえば、観察者から見た平面形状が概略矩形である。このとき、複数本の映像信号線の信号入力端は、たとえば、前記ＴＦＴ基板の第１の辺に沿って配置されている。
【０００５】
また、前記ＴＦＴ基板には、たとえば、前記表示領域を囲む環状に配線され、かつ、前記共通電極に接続しているコモン給電線が設けられている。このとき、前記コモン給電線の信号入力端は、たとえば、前記ＴＦＴ基板の前記第１の辺に配置されている。またこのとき、前記コモン給電線のうちの、複数本の走査信号線の信号入力端が配置されている辺を通る部分は、たとえば、当該走査信号線の信号入力端に接続されるＴＣＰあるいはＣＯＦなどの半導体パッケージを介して配線されている。なお、前記半導体パッケージは、たとえば、フィルム状の絶縁基板の表面に導体パターンが設けられたフレキシブルプリント配線板（インターポーザと呼ぶこともある。）に、走査ドライバＩＣが実装されたものである。
【０００６】
ところで、上記のような構成の液晶表示パネルを有する液晶表示装置のうちの、液晶テレビなどの大画面の液晶表示装置では、たとえば、共通電極の電位が不安定になり、画質の劣化が生じやすくなるという問題がある。これは、前記コモン給電線の配線長が長くなることにより、たとえば、当該コモン給電線の信号入力端が配置されている前記ＴＦＴ基板の前記第１の辺に近い位置における共通電極の電位と、前記ＴＦＴ基板の前記第１の辺の反対側に位置する第２の辺に近い位置における共通電極の電位にばらつき（変動）が生じるためである。
【０００７】
前記共通電極の電位が不安定になることで生じる画質の劣化を防ぐ方法としては、たとえば、当該コモン給電線の電位を検出し、当該検出した電位に応じてコモン給電線に供給する電圧の電位を変動させる方法が提案されている（たとえば、特許文献１を参照。）。
【０００８】
また、前記液晶表示装置には、観察者側からみた液晶表示パネルの後方にバックライトと呼ばれる光源を配置しているものがある。このとき、前記光源には、たとえば、蛍光灯が用いられ、当該蛍光灯への電圧は、通常、インバータ回路から供給される。そのため、たとえば、前記蛍光灯から発せられる電磁波の影響で、前記コモン給電線に印加された電圧の電位が変化し、表示画面にノイズが発生するという問題がある。
【０００９】
前記蛍光灯から発せられる電磁波の影響によるノイズを低減する方法としては、たとえば、前記コモン給電線と導電性のフレーム部材とを一対の電極とするコンデンサを設ける方法が提案されている（たとえば、特許文献２を参照。）。
【特許文献１】特開平９−２１８３８８号公報
【特許文献２】特開２００６−３９３９３号公報
【発明の開示】
【発明が解決しようとする課題】
【００１０】
しかしながら、前記特許文献１に記載されたような方法で前記共通電極の電位を安定化させる場合、たとえば、検出した前記コモン給電線の電位に基づいて、前記共通電極の電位が安定化する電位の電圧を生成するための回路が必要である。また、検出した前記コモン給電線の電位に基づいて、前記共通電極の電位が安定化させる場合、前記コモン給電線のどの位置における電位を検出するかも重要になる。またさらに、たとえば、表示領域のサイズ（大きさ）が異なる液晶表示装置では、前記共通電極の電位の不安定の度合いが異なることもある。そのため、前記特許文献１に記載されたような方法では、たとえば、液晶表示装置の表示領域のサイズごとに、前記共通電極の電位が安定化する電位の電圧を生成するための前記回路における処理の条件を代えたりする必要があるという問題がある。
【００１１】
また、前記特許文献２に記載されたような方法は、前記蛍光灯から発せられる電磁波の前記コモン給電線への影響を低減するための方法であり、たとえば、前記コモン給電線に印加された電圧の電位や前記蛍光灯から発せられる電磁波の特性などを考慮して、ある特定の条件を満たす容量値（静電容量）のコンデンサを設ける必要がある。また、前記特許文献２に記載されたような方法は、前記蛍光灯から発せられる電磁波の前記コモン給電線への影響を低減するための方法である。そのため、たとえば、前記コモン給電線の配線長が長くなることにより前記共通電極の電位が不安定になった場合は、画質の劣化が生じるという問題がある。
【００１２】
本発明の目的は、たとえば、大画面の液晶表示装置において、前記共通電極の電位が不安定になることに起因する画質の劣化を容易に低減することが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）概略矩形の第１の基板と概略矩形の第２の基板との間に液晶材料が封入された液晶表示パネルと、前記液晶表示パネルの外周部に設置される導電性のフレーム部材とを有し、前記液晶表示パネルは、ＴＦＴ素子および画素電極を有する複数個の画素の集合により設定される表示領域を有する液晶表示装置であって、前記第１の基板は、前記表示領域を通る複数本の走査信号線と、前記表示領域を通り、かつ、前記複数本の走査信号線と立体的に交差する複数本の映像信号線と、前記表示領域の外周部に環状に配線され、かつ、前記第１の基板または前記第２の基板のいずれかに設けられた共通電極に接続しているコモン給電線とを有し、前記複数本の映像信号線の信号入力端および前記コモン給電線の信号入力端は、前記第１の基板の第１の辺に沿って配置されており、前記コモン給電線は、前記第１の基板の前記第１の辺の反対側に位置する第２の辺の近傍であり、かつ、前記第２の基板と平面でみて重ならない領域に、前記フレーム部材と対向する端子を有し、前記フレーム部材は、前記液晶表示パネルと対向する面に、絶縁層、第１の導電層、および第２の導電層が、この順番で積層されており、かつ、前記第２の導電層の上に、当該第２の導電層と前記コモン給電線の前記端子とを接続する柱状の導電部材を有する液晶表示装置。
【００１６】
（２）前記（１）の液晶表示装置において、前記第２の導電層は、導電性を有する粘着材または接着材であり、前記柱状の導電部材は、導電性を有する弾性体である液晶表示装置。
【００１７】
（３）前記（１）または（２）の液晶表示装置において、前記フレーム部材の前記絶縁層、前記第１の導電層、および前記第２の導電層は、平面でみた形状が概ね等しい帯状である液晶表示装置。
【００１８】
（４）前記（１）または（２）の液晶表示装置において、前記フレーム部材の前記絶縁層および前記第１の導電層は、平面でみた形状が概ね等しい帯状であり、前記第２の導電層は、前記柱状の導電部材を設置する箇所およびその周辺部分のみに設けられている液晶表示装置。
【００１９】
（５）前記（１）乃至（４）のいずれかの液晶表示装置において、前記複数本の走査信号線の信号入力端は、前記第１の基板の前記第１の辺と前記第２の辺とに接する第３の辺、および当該第３の辺の反対側に位置する第４の辺に沿って配置されている液晶表示装置。
【００２０】
（６）前記（１）乃至（５）のいずれかの液晶表示装置において、前記第２の基板は、前記第１の基板の前記第２の辺に対応する辺が、当該第１の基板の第２の辺と平面でみて重なるように配置されている液晶表示装置。
【００２１】
（７）前記（１）乃至（５）のいずれかの液晶表示装置において、前記第２の基板は、前記第１の基板の前記第２の辺に対応する辺が、当該第１の基板の第２の辺と表示領域との間に位置している液晶表示装置。
【発明の効果】
【００２２】
本発明の液晶表示装置によれば、前記ＴＦＴ基板のコモン給電線に接続された第１の導電層と、導電性のフレーム部材とを一対の電極とするコンデンサにより、前記共通電極の電位を容易に安定化させることができる。そのため、前記共通電極の電位が不安定になることに起因する画質の劣化を容易に低減することができる。
【発明を実施するための最良の形態】
【００２３】
以下、本発明について、図面を参照して実施の形態（実施例）とともに詳細に説明する。
なお、実施例を説明するための全図において、同一機能を有するものは、同一符号を付け、その繰り返しの説明は省略する。
【００２４】
図１（ａ）乃至図１（ｄ）は、本発明に関わる液晶表示装置の概略構成を示す模式図である。
図１（ａ）は、本発明に関わる液晶表示装置の一構成例を示す模式分解斜視図である。図１（ｂ）は、図１（ａ）に示した液晶表示装置を観察者側からみた模式平面図である。図１（ｃ）は、図１（ｂ）のＡ−Ａ’線における模式断面図である。図１（ｄ）は、図１（ａ）乃至図１（ｃ）に示した上フレームの一構成例を示す模式平面図である。
【００２５】
本発明に関わる液晶表示装置は、たとえば、図１（ａ）乃至図１（ｃ）に示すように、液晶表示パネル１と、バックライトユニット２と、モールドフレーム（中フレームと呼ぶこともある。）３と、上フレーム４と、走査ドライバ５Ａと、データドライバ５Ｂと、第１のプリント回路板６と、第２のプリント回路板７と、フレキシブルプリント配線板８とを有する。
【００２６】
液晶表示パネル１は、ＴＦＴ基板１０１と対向基板１０２との間に液晶材料１０３が挟持された表示パネルである。このとき、ＴＦＴ基板１０１と対向基板１０２とは、シール材１０４で接着されており、液晶材料１０３は、ＴＦＴ基板１０１、対向基板１０２、およびシール材１０４で囲まれた空間に挟持（封入）されている。
【００２７】
また、本発明に関わる液晶表示装置における液晶表示パネル１のＴＦＴ基板１０１および対向基板１０２の基本的な構成は、従来の液晶表示パネルに採用されている種々の構成のうちのいずれかであればよい。そのため、ＴＦＴ基板１０１および対向基板１０２の具体的な構成についての詳細な説明は省略する。
【００２８】
バックライトユニット２は、たとえば、図１（ｃ）に示すように、下フレーム２０１と、反射板２０２と、蛍光灯２０３と、光学シート類２０４とを有する。
【００２９】
また、本発明に関わる液晶表示装置におけるバックライトユニット２の構成は、従来のバックライトユニットに採用されている種々の構成のうちのいずれかであればよい。そのため、バックライトユニット２の具体的な構成についての詳細な説明は省略する。
【００３０】
モールドフレーム３は、たとえば、液晶表示パネル１とバックライトユニット２との位置合わせや、間隔を一定にするために用いるフレーム部材である。このとき、モールドフレーム３は、たとえば、下フレーム２０１にねじ止めされている。
【００３１】
また、本発明に関わる液晶表示装置におけるモールドフレーム３の構成は、従来のモールドフレームに採用されている種々の構成のうちのいずれかであればよい。そのため、モールドフレーム３の具体的な構成についての詳細な説明は省略する。
【００３２】
上フレーム４は、たとえば、液晶表示パネル１とバックライトユニット２とを一体的に支持するために用いるフレーム部材である。このとき、上フレーム４は、たとえば、下フレーム２０１にねじ止めされている。
【００３３】
また、本発明に関わる液晶表示装置における上フレーム４は、たとえば、金属板などの導電性の板を成型したものである。このとき、上フレーム４は、たとえば、図１（ａ）に示したような一体物であってもよいし、たとえば、図１（ｄ）に示すように、第１の部材４０１、第２の部材４０２、第３の部材４０３、および第４の部材４０４を枠状に組んだものであってもよい。
【００３４】
走査ドライバ５Ａは、たとえば、液晶表示パネル１（ＴＦＴ基板１０１）の走査信号線に加える走査信号の生成および加えるタイミングの制御を行うＩＣチップが実装されたＴＣＰまたはＣＯＦなどの半導体パッケージである。また、データドライバ５Ｂは、たとえば、液晶表示パネル１（ＴＦＴ基板１０１）の映像信号線に加える映像信号の生成および加えるタイミングの制御を行うＩＣチップが実装されたＴＣＰまたはＣＯＦなどの半導体パッケージである。
【００３５】
第１のプリント回路板６は、データドライバ５Ｂに接続されるとともに、フレキシブルプリント配線板８を介して第２のプリント回路板７に接続されている。第２のプリント回路板７は、一般に、ＴＣＯＮ基板と呼ばれているものであり、たとえば、液晶表示装置の外部から入力された入力信号の処理や、液晶表示パネル１における各フレームの表示タイミングの制御を行う回路を有する。また、第２のプリント回路板７から出力される信号には、走査ドライバ５Ａに対して出力される信号と、データドライバ５Ｂに対して出力される信号とがある。このとき、走査ドライバ５Ａに対して出力される信号は、フレキシブルプリント配線板８、第１のプリント回路板６、データドライバ５Ｂ、ＴＦＴ基板１０１を介して走査ドライバ５Ａに伝送される。
【００３６】
また、図示は省略しているが、走査ドライバ５Ａおよびデータドライバ５Ｂや、第１のプリント回路板６は、たとえば、モールドフレーム３と上フレーム４との間（隙間）に配置される。また、第２のプリント回路板７は、たとえば、下フレーム２０１の底面にねじ止めされている。
【００３７】
図２（ａ）は、従来の液晶表示パネルにおけるコモン給電線の配線方法の一例を示す模式図である。図２（ｂ）は、従来の液晶表示パネルにおけるコモン給電線の配線方法の別の一例を示す模式図である。
【００３８】
液晶表示パネル１におけるＴＦＴ基板１０１は、たとえば、ガラス基板などの光透過率が高い絶縁基板の表面に、複数本の走査信号線、複数本の映像信号線、複数個のアクティブ素子（ＴＦＴ素子）、および複数個の画素電極などが配置されている。また、データドライバ５Ｂは、たとえば、図２（ａ）に示すように、ＴＦＴ基板１０１の第１の辺（上辺）Ｓ１に取り付けられている。このとき、各映像信号線の信号入力端は、ＴＦＴ基板１０１の第１の辺Ｓ１に沿って並んでおり、各映像信号線の末端（信号入力端とは反対側の端）は、ＴＦＴ基板１０１の第２の辺（下辺）Ｓ２に沿って並んでいる。
【００３９】
また、液晶テレビなどの大画面の液晶表示装置の場合、走査ドライバ５Ａは、たとえば、ＴＦＴ基板１０１の第３の辺（左辺）Ｓ３および第４の辺（右辺）Ｓ４に取り付けられている。
【００４０】
また、ＴＦＴ基板１０１には、たとえば、図２（ａ）に示すように、対向基板１０２またはＴＦＴ基板１０１のいずれかに設けられた共通電極にコモン電位の電圧を供給するコモン給電線ＣＢＬが設けられる。コモン給電線ＣＢＬは、信号入力端がＴＦＴ基板１０１の第１の辺Ｓ１の近傍に配置されており、かつ、表示領域ＤＡを囲む環状に配線されている。そして、共通電極は、コモン給電線ＣＢＬのさまざまな箇所と電気的に接続されている。
【００４１】
なお、コモン給電線のうちの、ＴＦＴ基板１０１の第３の辺Ｓ３に沿った部分、および第４の辺Ｓ４に沿った部分は、たとえば、それぞれの辺に取り付けられた走査ドライバ５Ａを経由するように配線されている。
【００４２】
また、ＴＦＴ基板１０１の第１の辺Ｓ１に配置されたコモン給電線ＣＢＬの信号入力端は、データドライバ５Ｂ上の配線、第１のプリント回路板６上の配線、フレキシブルプリント配線板８上の配線を経由して、第２のプリント回路板７上のコモン給電端子に接続している。
【００４３】
ところで、コモン給電線ＣＢＬのうちの、ＴＦＴ基板１０１の第２の辺Ｓ２に沿って延在している部分におけるコモン電圧の電位は、配線抵抗などの影響により、たとえば、ＴＦＴ基板１０１の第１の辺Ｓ１に近い位置におけるコモン電圧の電位とは異なる電位に変化する。すなわち、コモン給電線ＣＢＬのうちの、ＴＦＴ基板１０１の第２の辺Ｓ２に沿って延在している部分から共通電極に加えられるコモン電圧の電位が、ＴＦＴ基板１０１の第１の辺Ｓ１に近い部分から共通電極に加えられるコモン電圧の電位とは異なる電位に変動しているので、共通電極の電位が不安定になる。このような現象は、たとえば、液晶テレビなどの大画面の液晶表示装置で起こりやすい。
【００４４】
また、近年の液晶表示装置には、たとえば、製造コストを低減するために、走査ドライバ５Ａやデータドライバ５Ｂを多出力化し、図２（ｂ）に示すように、１枚の液晶表示パネル１（ＴＦＴ基板１０１）に取り付ける走査ドライバ５Ａやデータドライバ５Ｂの数を減らしたものがある。データドライバ５Ｂのプリント配線板（インターポーザ）にコモン給電用の配線を設けるときには、通常、最も外側を通るように設けられている。そのため、１枚のＴＦＴ基板１０１に取り付けるデータドライバ５Ｂの数が減ると、当該ＴＦＴ基板１０１のコモン給電線ＣＢＬの信号入力端（コモン電圧の供給箇所）が減り、共通電極の電位が不安定になりやすい。
【００４５】
そのため、従来の液晶表示装置では、共通電極の電位が不安定であることに起因する画質の劣化が発生しやすいという問題があった。
【００４６】
またさらに、液晶テレビなどの動画表示を行う液晶表示装置は、近年、たとえば、駆動周波数を１２０Ｈｚにするなどの高速化が進んでおり、このような高速駆動の液晶表示装置では、共通電極の電位の安定化がよりいっそう重要になる。
【００４７】
以下の実施例では、共通電極の電位を容易に安定化させることが可能な液晶表示装置の一例について説明する。
【実施例】
【００４８】
図３（ａ）乃至図３（ｃ）は、本発明による一実施例の液晶表示装置の概略構成を示す模式図である。
図３（ａ）は、本発明による一実施例の液晶表示パネルにおけるコモン給電線の一構成例を示す模式図である。図３（ｂ）は、図３（ａ）に波線で示した上フレームの第２の部材を液晶表示パネル側からみた模式平面図である。図３（ｃ）は、図３（ａ）のＢ−Ｂ’線における液晶表示パネルおよび上フレームの第２の部材の一構成例を示す模式断面図である。
【００４９】
なお、本実施例の液晶表示装置全体の概略構成は、図１（ａ）乃至図１（ｄ）に示したような構成であるとする。また、液晶表示パネル１（ＴＦＴ基板１０１）と、液晶表示パネル１に取り付けられた走査ドライバ５Ａおよびデータドライバ５Ｂの構成、ＴＦＴ基板１０１上のコモン給電線の配線方法は、図２（ｂ）に示した配線方法と同じであるとする。
【００５０】
本実施例の液晶表示装置は、まず、たとえば、図３（ａ）および図３（ｃ）に示すように、コモン給電線ＣＢＬのうちの、ＴＦＴ基板１０１の第２の辺Ｓ２、すなわちデータドライバ５Ｂが取り付けられている第１の辺Ｓ１の反対側の辺に沿った部分の両端に、上フレーム４の第２の部材４０２と対向し、かつ、表面に露出した端子ＣＬＰを有する。このとき、端子ＣＬＰは、ＴＦＴ基板１０１の第２の辺Ｓ２の近傍であり、かつ、対向基板１０２と平面でみて重ならない領域に設ける。
【００５１】
なお、ＴＦＴ基板１０１のコモン給電線ＣＢＬは、たとえば、走査信号線を形成する工程、あるいは映像信号線などを形成する工程で形成される。そのため、端子ＣＬＰを形成するときには、たとえば、映像信号線などが形成された後に形成される絶縁層を開口しておき、画素電極を形成する工程で、当該画素電極とともに形成する。
【００５２】
また、本実施例の液晶表示装置は、たとえば、図３（ａ）乃至図３（ｃ）に示すように、上フレーム４の第２の部材４０２の、液晶表示パネル１と対向する面に、絶縁層９０１、第１の導電層９０２、および第２の導電層９０３を、この順番で積層配置する。このとき、絶縁層９０１、第１の導電層９０２、および第２の導電層９０３は、たとえば、ＴＦＴ基板１０１の端子ＣＬＰと平面でみて重なる領域を有する一本の長い帯状のものを用いる。またこのとき、第２の導電層９０３の上の、ＴＦＴ基板１０１の端子ＣＬＰと平面でみて重なる部分には、ＴＦＴ基板１０１の端子ＣＬＰと電気的に接続する柱状の導電部材９０４を設ける。
【００５３】
絶縁層９０１には、たとえば、絶縁性の粘着テープを用いる。第１の導電層９０２には、たとえば、銅箔を用いる。第２の導電層９０３は、たとえば、導電性の粘着テープを用いる。柱状の導電部材９０４は、たとえば、導電ゴムを用いる。
【００５４】
このとき、第１の導電層９０２は、第２の導電層９０３および導電部材９０４と、ＴＦＴ基板１０１の端子ＣＬＰを介してコモン給電線ＣＢＬに電気的に接続されている。そのため、たとえば、上フレーム４の第２の部材４０２を接地しておけば、第１の導電層９０２と第２の部材４０２を一対の電極（上部電極と下部電極）とし、絶縁層９０１を誘電体層とする補助コンデンサが形成される。前記補助コンデンサは、ＴＦＴ基板１０１の第２の辺に沿って長くのびる帯状の電極（第１の導電層９０１および第２の部材４０２）を有するので、電極面積が非常に広い。そのため、前記補助コンデンサの容量値（静電容量）は、たとえば、各画素に形成される画素電極と共通電極を一対の電極としたコンデンサの容量値に比べて非常に高い。したがって、前記補助コンデンサを設けることにより、共通電極の電位を容易に安定化させることができる。
【００５５】
また、液晶テレビなどの表示領域ＤＡが広い液晶表示装置のように、コモン給電線ＣＢＬの配線長が長くなる液晶表示装置の場合、通常、それに比例してＴＦＴ基板１０１の第２の辺Ｓ２も長くなるので、補助コンデンサの容量値を大きくすることが容易である。そのため、コモン給電線ＣＢＬの配線長が長くなっても、共通電極の電位を容易に安定化させることができる。
【００５６】
以上のようなことから、本実施例の液晶表示装置によれば、共通電極の電位を容易に安定化させることができ、共通電極の電位が不安定になることに起因する画質の劣化を容易に低減できる。
【００５７】
図４は、本実施例の液晶表示装置の変形例の一例を示す模式断面図である。なお、図４は、図３（ｃ）と同じで、図３（ａ）のＢ−Ｂ’線における液晶表示パネル１および上フレーム４の第２の部材４０２の構成のみを示している。
【００５８】
本実施例では、液晶表示装置の特徴を説明するにあたり、上フレーム２の第２部材４０２に形成される補助コンデンサの構成が、たとえば、図３（ｂ）および図３（ｃ）に示したような構成、すなわち、絶縁層９０１、第１の導電層９０２、および第２の導電層９０３が、ほぼ同じ帯状の平面形状である場合を例に挙げた。しかしながら、第２の導電層９０３は、基本的に、第１の導電層９０２と導電部材９０４とを電気的に接続するために設けたものである。そのため、第２の導電層９０３は、たとえば、図４に示すように、導電部材９０４を設ける部分およびその周辺のみに設けてもよいことはもちろんである。
【００５９】
また、図示は省略するが、第２の導電層９０３と他の導電性部材などとの電気的な干渉を回避するために、たとえば、第２の導電層９０３の上に、第２の導電層９０３と導電部材９０４との接合部およびその周辺部のみを開口した絶縁層を設けてもよい。
【００６０】
また、第１の導電層９０２または導電部材９０４として、粘着性または接着性を有する導電材料を用いることも可能であり、その場合は、第２の導電層９０３が不要であることはもちろんである。
【００６１】
なお、第１の導電層９０２が、たとえば、酸化しやすい金属膜である場合は、図３（ｂ）および図３（ｃ）に示したように、第１の導電層９０２の上の全域に第２の導電層９０３を設け、第１の導電層９０２が酸化されにくくすることが望ましいのはもちろんである。
【００６２】
図５（ａ）は、本実施例の液晶表示装置の第１の応用例を示す模式図である。図５（ｂ）は、本実施例の液晶表示装置の第２の応用例を示す模式図である。
【００６３】
なお、図５（ａ）および図５（ｂ）における液晶表示パネル１（ＴＦＴ基板１０１）と、液晶表示パネル１に取り付けられた走査ドライバ５Ａおよびデータドライバ５Ｂの構成、ＴＦＴ基板１０１上のコモン給電線ＣＢＬの配線方法は、図２（ｂ）に示した配線方法と概ね同じである。
【００６４】
本実施例では、液晶表示装置の特徴を説明するにあたり、液晶表示パネル１の構成が、たとえば、図３（ａ）および図３（ｃ）に示したような構成、すなわち、ＴＦＴ基板１０１の第２の辺Ｓ２と、当該第２の辺Ｓ２に対応する対向基板１０２の辺の位置が、平面でみて重なっている場合を例に挙げている。この場合、コモン給電線ＣＢＬのうちの、第２の辺Ｓ２に沿った部分は、その両端を除く中間領域が、ＴＦＴ基板１０１と対向基板１０２とが平面でみて重なる領域を通っている。そのため、端子ＣＬＰは、コモン給電線ＣＢＬのうちの、第２の辺Ｓ２に沿った部分の両端に設けられる。
【００６５】
しかしながら、液晶表示パネル１におけるＴＦＴ基板１０１と対向基板１０２とは、たとえば、図５（ａ）に示すように、対向基板１０２の、ＴＦＴ基板１０１の第２の辺Ｓ２と対応する辺Ｓ２’の位置が、ＴＦＴ基板１０１の第２の辺Ｓ２と、表示領域ＤＡの下辺との間にくるように重なっていてもよい。このとき、コモン給電線ＣＢＬのうちの、第２の辺Ｓ２に沿った部分を、たとえば、ＴＦＴ基板１０１の第２の辺Ｓ２と、当該第２の辺Ｓ２に対応する対向基板１０２の辺Ｓ２’との間を通るように配線すれば、端子ＣＬＰを任意の位置に配置することができる。
【００６６】
またこのとき、コモン給電線ＣＢＬは、たとえば、図５（ｂ）に示すように、コモン給電線ＣＢＬのうちの、第２の辺Ｓ２に沿った部分を、その両端を除く中間領域が、ＴＦＴ基板１０１と対向基板１０２とが平面でみて重なる領域を通るように配線してもよい。この場合は、たとえば、コモン給電線ＣＢＬのうちの、ＴＦＴ基板１０１と対向基板１０２とが平面でみて重なる領域を通る部分に、ＴＦＴ基板１０１の第２の辺Ｓ２側に延びる分岐線を設け、対向基板１０２と重ならない端子ＣＬＰを設ける。
【００６７】
以上、本発明を、前記実施例に基づき具体的に説明したが、本発明は、前記実施例に限定されるものではなく、その要旨を逸脱しない範囲において、種々変更可能であることはもちろんである。
【００６８】
たとえば、前記実施例では、ＴＦＴ基板１０１に、ＴＣＰまたはＣＯＦなどのパッケージ形態の走査ドライバ５Ａおよびデータドライバ５Ｂを接続している場合を例に挙げている。しかしながら、近年の液晶表示装置には、たとえば、走査ドライバ５Ａやデータドライバ５Ｂに実装されているＩＣチップ（ドライバＩＣ）を、ＴＦＴ基板１０１に直接実装しているものもある。またさらに、近年の液晶表示装置には、たとえば、ＴＦＴ基板１０１の製造過程で、前記ＩＣチップと同等の機能を有する回路を絶縁基板上に形成したものも提案されている。そのような液晶表示装置の場合は、たとえば、走査ドライバ５Ａやデータドライバ５Ｂの代わりに、前記ＩＣチップが実装されていないフレキシブルプリント配線板が用いられる。
【図面の簡単な説明】
【００６９】
【図１（ａ）】本発明に関わる液晶表示装置の一構成例を示す模式分解斜視図である。
【図１（ｂ）】図１（ａ）に示した液晶表示装置を観察者側からみた模式平面図である。
【図１（ｃ）】図１（ｂ）のＡ−Ａ’線における模式断面図である。
【図１（ｄ）】図１（ａ）乃至図１（ｃ）に示した上フレームの一構成例を示す模式平面図である。
【図２（ａ）】従来の液晶表示パネルにおけるコモン給電線の配線方法の一例を示す模式図である。
【図２（ｂ）】図２（ｂ）は、従来の液晶表示パネルにおけるコモン給電線の配線方法の別の一例を示す模式図である。
【図３（ａ）】本発明による一実施例の液晶表示パネルにおけるコモン給電線の一構成例を示す模式図である。
【図３（ｂ）】図３（ａ）に波線で示した上フレームの第２の部材を液晶表示パネル側からみた模式平面図である。
【図３（ｃ）】図３（ａ）のＢ−Ｂ’線における液晶表示パネルおよび上フレームの第２の部材の一構成例を示す模式断面図である。
【図４】本実施例の液晶表示装置の変形例の一例を示す模式断面図である。
【図５（ａ）】本実施例の液晶表示装置の第１の応用例を示す模式図である。
【図５（ｂ）】本実施例の液晶表示装置の第２の応用例を示す模式図である。
【符号の説明】
【００７０】
１…液晶表示パネル
１０１…ＴＦＴ基板
１０２…対向基板
１０３…液晶材料
１０４…シール材
２…バックライトユニット
２０１…下フレーム
２０２…反射板
２０３…蛍光灯
２０４…光学シート類
３…モールドフレーム
４…上フレーム
４０１…第１の部材
４０２…第２の部材
４０３…第３の部材
４０４…第４の部材
５Ａ…走査ドライバ
５Ｂ…データドライバ
６…第１のプリント回路板
７…第２のプリント回路板
８…フレキシブルプリント配線板
ＣＢＬ…コモン給電線
ＣＬＰ…端子
Ｓ１…第１の辺
Ｓ２…第２の辺
Ｓ３…第３の辺
Ｓ４…第４の辺
【図１（ａ）】
2009031471.tif 000003
【図１（ｂ）】
2009031471.tif 000004
【図１（ｃ）】
2009031471.tif 000005
【図１（ｄ）】
2009031471.tif 000006
【図２（ａ）】
2009031471.tif 000007
【図２（ｂ）】
2009031471.tif 000008
【図３（ａ）】
2009031471.tif 000009
【図３（ｂ）】
2009031471.tif 000010
【図３（ｃ）】
2009031471.tif 000011
【図４】
2009031471.tif 000012
【図５（ａ）】
2009031471.tif 000013
【図５（ｂ）】
2009031471.tif 000014